(57)【要約】【課題】ディスプレイ部（パネル）の大型化に対しても、より適切にディスプレイ部をチルト可能なパネルのチルト構造を提供する。【解決手段】ガイド軸４５は、表示パネル１２の上端側を上下方向に移動するように規制する。ガイド部材２６は、ガイド軸４５を案内する。ギア列機構２９は、表示パネル１２の下端側を表示パネル１２の前後方向へ移動させるスライダー２４に連結されてスライダー２４と共に移動する。パワーギア軸４２及びギアピン５５は、ギア列機構２９に備える位置決め部である。ギアガイドプレート３２は、パワーギア軸４２及びギアピン５５を表示パネル１２に沿って案内する。【選択図】図５
2020106727.tif 000002
【特許請求の範囲】
【請求項１】
パネルの上端側を上下方向に移動するように規制する上下移動軸及び前記上下移動軸を案内する上下案内部と、前記パネルの下端側を前記パネルの前後方向へ移動させるスライダーに連結されて前記スライダーと共に移動する移動体と、前記移動体に備える位置決め部を前記パネルに沿って案内するパネル案内部とを備えることを特徴とするパネルのチルト構造。
【請求項２】
前記移動体は、前記パネルの傾斜に応じて移動力を発生させる移動力発生部により移動されることを特徴とする請求項１に記載のパネルのチルト構造。
【請求項３】
前記移動体は、複数のギアが噛み合うギア列機構であり、前記パネルが傾くのに伴い、前記パネルに対して前記ギアがそれぞれ相対回動することを特徴とする請求項２に記載のパネルのチルト構造。
【請求項４】
前記移動体は、前記スライダーに連結されて前記パネルに対して相対回動するスライダーギアと、前記スライダーギアに噛み合うアイドラギアと、前記アイドラギアと噛み合うパワーギアと、前記スライダーギア、前記アイドラギア及び前記パワーギアを回動可能に支持するギア支持部材とを備え、前記パワーギアは、前記パネルの背面側に固定された固定ラックギアに噛み合い、前記パワーギアを支持するパワーギア軸と前記上下移動軸とは、軸支持部材で支持されることを特徴とする請求項１乃至３のいずれか一項に記載のパネルのチルト構造。
【請求項５】
前記パワーギアは、前記アイドラギアに噛み合う小径ギアと、前記固定ラックギアに噛み合う扇形の大径ギアとから一体に形成されていることを特徴とする請求項４に記載のパネルのチルト構造。
【発明の詳細な説明】
【技術分野】
【０００１】
本発明は、パネルのチルト構造に関する。
【背景技術】
【０００２】
従来、例えば、特許文献１に記載されたディスプレイ部のチルト構造が知られている。
特許文献１において、ディスプレイ部の上部が、本体部に形成されたガイド溝に上下スライド可能に設けられ、ディスプレイ部の下部が、スライド機構によって前後方向に移動可能に設けられ、スライド機構の前後の移動に伴い、ディスプレイ部が本体部に対して上下にチルト可能となる。
【先行技術文献】
【特許文献】
【０００３】
【特許文献１】特開２００７−１５３２５１号公報
【発明の概要】
【発明が解決しようとする課題】
【０００４】
特許文献１のディスプレイ装置では、スライド機構のスライド量を増やすことが困難であるため、例えば、大型のディスプレイ部を用いると、ディスプレイ部を十分な角度までチルトさせることができない可能性があった。ディスプレイ部を十分な角度までチルトさせることができない場合、本体部に設けられたＳＤカード挿入口等をユーザが利用できなくなる可能性があった。
本発明は、ディスプレイ部（パネル）の大型化に対しても、より適切にディスプレイ部をチルト可能なパネルのチルト構造を提供することを目的とする。
【課題を解決するための手段】
【０００５】
パネルのチルト構造は、パネルの上端側を上下方向に移動するように規制する上下移動軸及び前記上下移動軸を案内する上下案内部と、前記パネルの下端側を前記パネルの前後方向へ移動させるスライダーに連結されて前記スライダーと共に移動する移動体と、前記移動体に備える位置決め部を前記パネルに沿って案内するパネル案内部とを備えることを特徴とする。
【０００６】
上記構成において、前記移動体は、前記パネルの傾斜に応じて移動力を発生させる移動力発生部により移動されるようにしても良い。
また、上記構成において、複数のギアが噛み合うギア列機構であり、前記パネルが傾くのに伴い、前記パネルに対して前記ギアがそれぞれ相対回動するようにしても良い。
【０００７】
また、上記構成において、前記移動体は、前記スライダーに連結されて前記パネルに対して相対回動するスライダーギアと、前記スライダーギアに噛み合うアイドラギアと、前記アイドラギアと噛み合うパワーギアと、前記スライダーギア、前記アイドラギア及び前記パワーギアを回動可能に支持するギア支持部材とを備え、前記パワーギアは、前記パネルの背面側に固定された固定ラックギアに噛み合い、前記パワーギアを支持するパワーギア軸と前記上下移動軸とは、軸支持部材で支持されるようにしても良い。
【０００８】
また、上記構成において、前記パワーギアは、前記アイドラギアに噛み合う小径ギアと、前記固定ラックギアに噛み合う扇形の大径ギアとから一体に形成されていても良い。
【発明の効果】
【０００９】
パネルのチルト構造は、パネルの上端側を上下方向に移動するように規制する上下移動軸及び上下移動軸を案内する上下案内部と、パネルの下端側をパネルの前後方向へ移動させるスライダーに連結されてスライダーと共に移動する移動体と、移動体に備える位置決め部をパネルに沿って案内するパネル案内部とを備えるので、移動体の位置決め部をパネルに沿って案内するようにしたことで、パネルを移動体に対して相対移動できるため、パネルとパネル近傍とのクリアランスを確保でき、大型のパネルでもより適切にチルトできる。
【図面の簡単な説明】
【００１０】
【図１】本発明の実施形態に係る車載装置を示す斜視図である。
【図２】車載装置における表示パネルのチルト状態を示す斜視図である。
【図３】初期状態の車載装置を示す側面図である。
【図４】表示パネル及び左右のチルト本体部を示す斜視図である。
【図５】初期状態のチルト本体部の構造を示す側面図である。
【図６】図５からガイド部材及びガイドプレートを省いた状態を示す側面図である。
【図７】図６のＶＩＩ矢視図である。
【図８】ギア列機構を示す図であり、図８（Ａ）はギア列機構の右側面図、図８（Ｂ）は図８（Ａ）のＢ矢視図、図８（Ｃ）は図８（Ｂ）のＣ矢視図、図８（Ｄ）は図８（Ｃ）のＤ矢視図である。
【図９】図５のＩＸ−ＩＸ線断面図である。
【図１０】図６のＸ−Ｘ線断面図である。
【図１１】図５のＸＩ−ＸＩ線断面図である。
【図１２】チルト機構の作用を示す第１作用図である。
【図１３】チルト機構の作用を示す第２作用図である。
【発明を実施するための形態】
【００１１】
以下、図面を参照して本発明の実施形態について説明する。なお、各図に示す符号ＦＲは車載装置１０の前方を示し、符号ＵＰは車載装置１０の上方を示し、符号ＬＨは車載装置１０に向かって左方を示している。
図１は、本発明の実施形態に係る車載装置１０を示す斜視図、図２は、車載装置１０における表示パネル１２のチルト状態を示す斜視図である。
図１に示すように、車載装置１０は、ＣＤ、ＤＶＤ等を再生するオーディオ装置、指定された目的地までの経路を探索するナビゲーション装置等の車載用電子機器であり、車両のインストルメントパネル等に設けられる収納スペースに埋め込まれて搭載される。
車載装置１０は、上記収納スペースに嵌め込まれる装置本体１１と、装置本体１１の前方に縦に配置された表示パネル１２とを備える。
【００１２】
装置本体１１は、前部に枠状のインナーエスカッション１４を備え、インナーエスカッション１４の前方に表示パネル１２が配置されている。表示パネル１２は、インナーエスカッション１４内に一部が収納されても良い。また、表示パネル１２は、前面１２ａにタッチパネルを備えていても良い。
図２に示すように、表示パネル１２は、装置本体１１に対して上下にチルト可能である。表示パネル１２を、図１に示した初期状態からチルトさせた（前下がりに傾斜させた又は横にさせた）チルト完了状態にできる。このようなチルト完了状態では、装置本体１１の前面１１ａに設けられたＣＤ、ＤＶＤ等のディスク挿入口１１ｂやＳＤカード等のカード挿入口１１ｃが露出して、ディスク、カードが挿入可能になる。
【００１３】
図３は、初期状態の車載装置１０を示す側面図である。
装置本体１１内及びインナーエスカッション１４内には、表示パネル１２をチルトさせるチルト機構２０が設けられている。
チルト機構２０は、装置本体１１内の下部に前後に延びるように配置されたスライド機構２１と、スライド機構２１によってチルト動作を発生させるチルト動作発生機構２２とを備える。
【００１４】
スライド機構２１は、装置本体１１の下部に設けられた左右一対のレール（不図示）と、左右のレールにそれぞれスライド可能に支持された左右一対のスライダー２４とから構成される。
チルト動作発生機構２２は、インナーエスカッション１４の左右の側壁１４ａにそれぞれ設けられたガイド部材２６と、表示パネル１２と一体的に、ガイド部材２６に沿って上下に移動し且つスライダー２４によって前後移動するチルト本体部２７とを備える。
チルト本体部２７は、表示パネル１２の背面に設けられるとともにインナーエスカッション１４内に配置されている。
【００１５】
図４は、表示パネル１２及び左右のチルト本体部２７を示す斜視図である。
なお、図４では、チルト本体部２７のスライダーギア３５（図５参照）を省いている。
チルト本体部２７は、表示パネル１２の背面１２ｂに取付けられたパネルブラケット２８の両端部に設けられている。左側のチルト本体部２７を構成する部品と右側のチルト本体部２７を構成する部品とは、部品毎に左右対称な形状を有する。
上記した表示パネル１２、左右のチルト本体部２７及びパネルブラケット２８は、一体的に傾斜可能なチルト部３０を構成する。
パネルブラケット２８は、スライダーギア３５との干渉を避ける略矩形の開口部２８ａを備える。
【００１６】
チルト本体部２７は、ギアガイドプレート３２、ギア列機構２９、ガイドプレート３３を備える。
ギアガイドプレート３２は、表示パネル１２の背面１２ｂにパネルブラケット２８を介して複数のビス３１で取付けられている。ギア列機構２９は、表示パネル１２の後方で左右のギアガイドプレート３２の間の各ギアガイドプレート３２寄りの空間をそれぞれ移動可能である。ガイドプレート３３は、ギア列機構２９と共に移動する。
ギアガイドプレート３２は、上下一対の被取付部３２ａ及びガイド本体部３２ｂとから構成される。
【００１７】
上下の被取付部３２ａは、パネルブラケット２８の背面２８ｄにそれぞれビス３１で取付けられた板状の部分である。ガイド本体部３２ｂは、上下の被取付部３２ａから折り曲げられて一対の被取付部３２ａを繋ぐように上下方向に延びる板状の部分である。
ガイド本体部３２ｂは、上側の被取付部３２ａから延びる上ガイド部３２ｃと、下側の被取付部３２ａから延びる下ガイド部３２ｄと、上ガイド部３２ｃの下端及び下ガイド部３２ｄの上端のそれぞれから略水平に折り曲げられた接続部３２ｅとからなる。上ガイド部３２ｃ、下ガイド部３２ｄ及び接続部３２ｅは、一体に形成されている。
ギア列機構２９は、複数のギアをそれぞれ軸を介して支持するギアプレート３６を備える。
【００１８】
図５は、初期状態のチルト本体部２７の構造を示す側面図、図６は、図５からガイド部材２６及びガイドプレート３３を省いた状態を示す側面図、図７は、図６のＶＩＩ矢視図である。
図５及び図６において、ガイド部材２６は、側面視Ｓ字状に形成され、ガイド部材２６に形成されるカム穴２６ａも側面視Ｓ字状に形成されている。
チルト本体部２７は、ギア列機構２９、固定ラックギア４３、ギアガイドプレート３２、ガイドプレート３３、ガイド軸４５、ガイドローラ４６を備える。
【００１９】
ガイド本体部３２ｂは、下ガイド部３２ｄに上下に延びるとともに上下に並べて配置された上下一対のガイド穴３２ｆを備える。
スライダーギア３５は、スライダー２４の先端部に固定され、スライダーギア軸３７を介してギアプレート３６に回動可能に支持されている。
スライダーギア軸３７は、スライダー２４及びスライダーギア３５の回動軸である。
アイドラギア３８は、アイドラ軸３９を介してギアプレート３６に回動可能に支持され、スライダーギア３５に噛み合っている。
【００２０】
パワーギア４１は、一体に形成された２つのギアからなり、パワーギア軸４２を介してギアプレート３６に回動可能に支持されている。また、パワーギア軸４２は、ガイド本体部３２ｂの上側のガイド穴３２ｆに挿入されている。
パワーギア４１の一方の小径ギア４１ａは、アイドラギア３８に噛み合っている。
固定ラックギア４３は、パネルブラケット２８に固定され、固定ラックギア４３にはパワーギア４１の他方の大径ギア４１ｂが噛み合っている。
ガイドプレート３３は、下端がパワーギア軸４２に揺動可能に支持され、上端に取付けられたガイド軸４５がガイドローラ４６を介してガイド部材２６に支持されるとともにカム穴２６ａに沿って案内される。
【００２１】
ガイド軸４５は、ガイドローラ４６を回転可能に支持する。ガイドローラ４６は、ガイド部材２６のカム穴２６ａに挿入されて案内される。
ガイドプレート３３の長手方向の中間部には屈曲したカム穴３３ａが形成され、カム穴３３ａには、ギアガイドプレート３２の上ガイド部３２ｃに設けられたガイドピン５１が挿入される。カム穴３３ａは、後上がりとされた上部穴部３３ｂと、上部穴部３３ｂの下端から屈曲して後下がりとされた下部穴部３３ｃとからなる。上部穴部３３ｂと下部穴部３３ｃとは、屈曲部３３ｄを介して連続して形成される。チルト本体部２７の初期状態では、ガイドピン５１は、上部穴部３３ｂの上端部に位置する。
【００２２】
上記したカム穴３３ａを設けることで、ガイドプレート３３を、表示パネル１２の傾斜状態に応じてパワーギア軸４２を中心にして表示パネル１２に垂直な方向へ揺動させることができる。これにより、表示パネル１２の傾斜途中で、表示パネル１２を装置本体１１から引き離すことができ、チルト量を確保できる。
上記したギア列機構２９は、ギアプレート３６、スライダーギア３５、スライダーギア軸３７、アイドラギア３８、アイドラ軸３９、パワーギア４１、パワーギア軸４２を備える。
【００２３】
また、ギア列機構２９及び固定ラックギア４３は、表示パネル１２が傾く動作中にギア列機構２９に移動力を発生させる移動機構５３を構成する。
表示パネル１２が傾くことで、表示パネル１２と一体的にアイドラギア３８が傾くため、回動しないスライダーギア３５の周りをアイドラギア３８が移動する。これにより、スライダーギア３５に対してアイドラギア３８が回転し、更に、パワーギア４１が回転するため、固定ラックギア４３に噛み合うパワーギア４１が、固定ラックギア４３に対して上側に相対移動する。
【００２４】
図７に示すように、ギアガイドプレート３２の下ガイド部３２ｄに隣接又は近接してギア列機構２９が配置されている。ギア列機構２９は、下ガイド部３２ｄの一対のガイド穴３２ｆ（図６参照）をそれぞれ貫通するパワーギア軸４２及びギアピン５５を備え、下ガイド部３２ｄに沿って上下に移動可能である。
固定ラックギア４３は、複数のビス５７で上下に延びるようにパネルブラケット２８（図４参照）に取付けられている。
【００２５】
図８は、ギア列機構２９を示す図である。図８（Ａ）はギア列機構２９の右側面図、図８（Ｂ）は図８（Ａ）のＢ矢視図、図８（Ｃ）は図８（Ｂ）のＣ矢視図、図８（Ｄ）は図８（Ｃ）のＤ矢視図（ギア列機構２９の左側面図）である。
図８（Ａ）〜図８（Ｄ）に示すように、ギアプレート３６は、縦に長い矩形状の後壁３６ａと、後壁３６ａの右縁から屈曲して前方に延びる上下一対の右上側壁３６ｂ及び右下側壁３６ｃと、後壁３６ａの左縁から屈曲して前方に延びる左側壁３６ｄとからなる。
左側壁３６ｄは、後壁３６ａの左縁から前方に延びる左側壁基部３６ｅと、左側壁基部３６ｅの下部から前方に延びる左側壁下部３６ｆと、左側壁基部３６ｅの上部から前方に延びる左側壁上部３６ｇとを備える。
【００２６】
左側壁下部３６ｆは、左側壁基部３６ｅの前縁から右下側壁３６ｃに向けて屈曲した左側壁屈曲部３６ｈと、左側壁屈曲部３６ｈの前縁から屈曲して前方に延びる左側壁前部３６ｊとからなる。
右上側壁３６ｂには、パワーギア軸４２が取付けられ、パワーギア軸４２にパワーギア４１が回動可能に支持されている。
右下側壁３６ｃには、ギアピン５５が取付けられている。
左側壁３６ｄの左側壁上部３６ｇには、アイドラ軸３９が取付けられ、アイドラ軸３９にアイドラギア３８が回転可能に支持されている。
左側壁３６ｄの左側壁前部３６ｊには、スライダーギア軸３７が回動可能に支持され、スライダーギア軸３７が、スライダー２４及びスライダーギア３５に固定されている。
【００２７】
スライダーギア３５は、外周部の一部に複数の歯３５ａを備える。アイドラギア３８は、外周部の全周に複数の歯３８ａを備える。パワーギア４１は、アイドラギア３８に噛み合う小径ギア４１ａと、固定ラックギア４３（図５参照）に噛み合う大径ギア４１ｂとを一体に備える。
小径ギア４１ａは、外周部の一部に複数の歯４１ｃを備える。大径ギア４１ｂは、小径ギア４１ａに対してパワーギア軸４２の延びる方向（詳しくは、小径ギア４１ａに対して右上側壁３６ｂ側）にオフセットして配置されている。
大径ギア４１ｂは、輪郭が扇形に形成され、小径ギア４１ａよりも直径（歯先円直径）が大きく、外周部に複数の歯４１ｄを備える。
スライダーギア３５の左側の端部３５ｂは、複数のビス（不図示）でスライダー２４に取付けられている。
【００２８】
図９は、図５のＩＸ−ＩＸ線断面図である。
スライダー２４には、スライダーギア３５が複数のビスで取付けられる。
スライダー２４にはねじ穴２４ａが形成されている。スライダーギア３５には、貫通穴３５ｃが開けられている。
スライダーギア３５の貫通穴３５ｃに通されるスライダーギア軸３７は、筒部３７ａと、筒部３７ａの端部に一体に形成されたフランジ部３７ｂとを備える。
【００２９】
スライダーギア軸３７には，ばねワッシャ６１及び平ワッシャ６２が嵌められ、この状態でスライダーギア軸３７は、ギアプレート３６の左側壁前部３６ｊに形成された貫通穴３６ｋに挿入されるとともにスライダーギア３５の貫通穴３５ｃに挿入される。
この後、スライダーギア軸３７の中空部３７ｃにビス６４が挿入され、ビス６４の先端部のねじ部６４ａが、スライダー２４のねじ穴２４ａにねじ結合される。
【００３０】
このような構造により、スライダー２４に、スライダーギア３５及びスライダーギア軸３７が固定され、スライダーギア軸３７と左側壁前部３６ｊ（即ち、ギアプレート３６）とが相対回動可能となる。
【００３１】
図１０は、図６のＸ−Ｘ線断面図である。
パワーギア軸４２は、第１軸部４２ａと、第１軸部４２ａの一端部に形成されて第１軸部４２ａよりも大径に形成された大径部４２ｂと、大径部４２ｂから第１軸部４２ａとは反対側に且つ第１軸部４２ａと同軸に形成された第２軸部４２ｃとを備える。
第１軸部４２ａには、パワーギア４１が回転可能に支持されている。大径部４２ｂは、ギアプレート３６に固定されている。第２軸部４２ｃは、ギアガイドプレート３２の上側のガイド穴３２ｆに挿入され、また、第２軸部４２ｃには、ガイドプレート３３に形成された貫通穴３３ｇが嵌められて、第２軸部４２ｃに揺動可能にガイドプレート３３が支持されている。
【００３２】
図１１は、図５のＸＩ−ＸＩ線断面図である。
ガイドプレート３３の上端部には上端部貫通穴３３ｆが開けられている。
ガイド軸４５は、円柱状の軸部４５ａと、軸部４５ａの一端部に一体に形成された頭部４５ｂとからなる。頭部４５ｂは、軸部４５ａに隣接するフランジ部４５ｃと、フランジ部４５ｃに隣接してガイドプレート３３の上端部貫通穴３３ｆに嵌合するプレート嵌合部４５ｄとを備える。
ガイドプレート３３の上端部貫通穴３３ｆには、ガイド軸４５のプレート嵌合部４５ｄが挿入されるとともにプレート嵌合部４５ｄの端面が加締められて、ガイドプレート３３にガイド軸４５が固定される。
ガイド軸４５の軸部４５ａには、ガイドローラ４６の中空部４６ａが回転可能に嵌められ、ガイドローラ４６が、ガイド部材２６のカム穴２６ａに沿って案内される。
【００３３】
以上に述べたチルト機構２０の作用を次に説明する。
図１２は、チルト機構２０の作用を示す第１作用図である。
なお、図中には、初期状態の表示パネル１２及びガイドプレート３３を二点鎖線で示している。また、ギア列機構２９については、動作の理解を容易にするために、便宜上スライダーギア３５、アイドラギア３８及びパワーギア４１のほぼ全体を実線で示すとともに、スライダーギア３５及びパワーギア４１を模式的に示している（図１３も同じ）。
図５に示したチルト機構２０の初期状態からスライダー２４を、矢印Ａに示すように前方に押し出すと、表示パネル１２は、初期状態の表示パネル１２の位置から、矢印Ｂに示すように表示パネル１２の下端側が揺動して傾斜し、前下がりの状態となる。
表示パネル１２（詳しくは、表示パネル１２の前面１２ａ）の傾斜角度はθ１である。
このとき、スライダーギア３５は、回動しないが、表示パネル１２に対しては同じ傾斜角度θ１だけ相対的に傾くため、スライダーギア３５と、表示パネル１２と一体的に傾くアイドラギア３８との間に相対回転が生じる。
【００３４】
この結果、アイドラギア３８が矢印Ｃに示すように回転することで、アイドラギア３８に噛み合うパワーギア４１の小径ギア４１ａと一体的に大径ギア４１ｂが、矢印Ｄに示すように回転する。
この結果、固定ラックギア４３に大径ギア４１ｂが噛み合うパワーギア４１（即ち、ギア列機構２９の全体）は、固定ラックギア４３に対して矢印Ｅに示すように上方斜め後方に相対移動する。実際は、ギア列機構２９は、スライダー２４に連結されているので、表示パネル１２を含むチルト部３０が、一体に下方斜め前方に移動する。
このときのパワーギア４１（詳しくは、パワーギア軸４２）の初期位置からの移動量（表示パネル１２の前面１２ａに沿った移動量）はα１である。
【００３５】
このとき、表示パネル１２に対するガイドプレート３３の突出量β１（表示パネル１２の上端面１２ｃから、ガイドプレート３３において表示パネル１２の前面１２ａに沿う方向で最も上端の部分までの突出量β１）は、表示パネル１２の初期位置での突出量−β０（マイナスβゼロ）より大きい。
これは、実際には、表示パネル１２が、ガイドプレート３３に対して下方斜め前方に移動しているということである。即ち、表示パネル１２は、車載装置１０（図３参照）の装置本体１１（図５参照）から離れる方向に移動している。
また、表示パネル１２の上端面１２ｃの後縁１２ｄは、表示パネル１２の初期位置の背面１２ｂから距離γ１だけ離れている。即ち、表示パネル１２は、初期位置より前方に位置する。
【００３６】
また、ガイドプレート３３において、上端部に設けられたガイドローラ４６の前後方向の位置が、ガイドプレート３３のカム穴３３ａによっても規制される。図１２では、カム穴３３ａ内のガイドピン５１は、カム穴３３ａの屈曲部３３ｄの近傍の上部穴部３３ｂ内に位置し、側面視において、表示パネル１２の前面１２ａに垂直な方向では、初期位置でのガイドピン５１から距離δ１だけ離れている。即ち、ガイドプレート３３は、パワーギア軸４２を中心にして矢印Ｆの向きに揺動している。このことからも、パネルブラケット２８及び固定ラックギア４３と共に表示パネル１２の上部側は、ガイドプレート３３に対して前方に移動（詳しくは、揺動）している。
このように、ガイドプレート３３のカム穴３３ａによっても、表示パネル１２は、初期位置より前方に位置するように調整される。
【００３７】
図１３は、チルト機構２０の作用を示す第２作用図である。
なお、図中には、初期状態の表示パネル１２を二点鎖線で示している。
図１２の状態からスライダー２４を、更に矢印Ｇに示すように前方に押し出すと、表示パネル１２は、図１２の状態から矢印Ｈに示すように更に傾斜する。
表示パネル１２（詳しくは、前面１２ａ）の傾斜角度は、水平に近い前下がりのチルト完了状態では、θ２（＞θ１）となる。傾斜角度θ２は、表示パネル１２が最も大きく傾斜した角度である。
このとき、表示パネル１２に対してスライダーギア３５も同じ傾斜角度θ２だけ相対的に傾き、スライダーギア３５と、表示パネル１２と一体的に傾くアイドラギア３８との間に相対回転が生じる。
【００３８】
この結果、アイドラギア３８が矢印Ｊに示すように回転することで、アイドラギア３８に噛み合うパワーギア４１の小径ギア４１ａと一体的に大径ギア４１ｂが矢印Ｋに示すように回転する。
この結果、固定ラックギア４３に大径ギア４１ｂが噛み合うパワーギア４１（即ち、ギア列機構２９の全体）は、固定ラックギア４３に対して矢印Ｌに示すように更に上方斜め後方に相対移動する。即ち、表示パネル１２を含むチルト部３０が一体的に下方斜め前方に移動する。
このときのパワーギア４１（詳しくは、パワーギア軸４２）の初期位置からの移動量（表示パネル１２の前面１２ａに沿った移動量）はα２（＞α１（図１２参照））である。
【００３９】
このとき、表示パネル１２に対するガイドプレート３３の突出量β２（表示パネル１２の上端面１２ｃから、ガイドプレート３３において表示パネル１２の前面１２ａに沿う方向で最も上端の部分までの突出量β２）は、図１２における表示パネル１２の突出量β１より大きい。
これは、図１２と比較して、表示パネル１２がガイドプレート３３に対してより下方斜め前方に移動しているということである。即ち、表示パネル１２は、車載装置１０（図３参照）の装置本体１１（図５参照）から離れる方向に更に移動している。
また、表示パネル１２の上端面１２ｃの後縁１２ｄは、表示パネル１２の初期位置の背面１２ｂから距離γ２だけ離れている。即ち、表示パネル１２は、初期位置より前方に位置する。
【００４０】
また、カム穴３３ａ内のガイドピン５１は、下部穴部３３ｃの下端部に位置し、ガイドプレート３３は、側面視において、表示パネル１２の前面１２ａに直交する方向では、初期位置と同じように表示パネル１２に近接している。
上記したように、表示パネル１２のチルト完了状態でも、表示パネル１２は、初期位置に対して前方に位置するため、図２に示したように、装置本体１１の前面１１ａのディスク挿入口１１ｂやカード挿入口１１ｃを露出させることができる。これにより、ディスク挿入口１１ｂやカード挿入口１１ｃにそれぞれディスク、カードを挿入して車載装置１０を利用することができる。
【００４１】
図５〜図７に示したように、チルト構造を有するチルト機構２０は、ガイド軸４５及びガイド部材２６と、ギア列機構２９と、パワーギア軸４２及びギアピン５５と、ギアガイドプレート３２とを備える。
ガイド軸４５は、パネルとしての表示パネル１２の上端側を上下方向に移動するように規制する上下移動軸である。ガイド部材２６は、ガイド軸４５を案内する上下案内部である。ギア列機構２９は、表示パネル１２の下端側を表示パネル１２の前後方向へ移動させるスライダー２４に連結されてスライダー２４と共に移動する移動体である。パワーギア軸４２及びギアピン５５は、ギア列機構２９に備える位置決め部である。ギアガイドプレート３２は、パワーギア軸４２及びギアピン５５を表示パネル１２に沿って案内するパネル案内部である。
【００４２】
この構成によれば、ギア列機構２９のパワーギア軸４２及びギアピン５５を表示パネル１２に沿って案内するようにしたことで、表示パネル１２をギア列機構２９に対して相対移動できるため、表示パネル１２と表示パネル１２の近傍（装置本体１１）とのクリアランスを確保でき、大型の表示パネル１２でもより適切にチルトできる。
【００４３】
また、ギア列機構２９は、表示パネル１２の傾斜に応じて移動力を発生させる移動力発生部としての固定ラックギア４３により移動される。
この構成によれば、スライダー２４による表示パネル１２の前後方向の移動に伴い、表示パネル１２の傾斜動作中に発生する移動力を利用することができる。即ち、表示パネル１２の傾斜動作中に、ギア列機構２９のパワーギア４１に固定ラックギア４３が噛み合っていることで、固定ラックギア４３に対してギア列機構２９を相対移動させることができる。
これにより、表示パネル１２を表示パネル１２の近傍から離すことができ、表示パネル１２と表示パネル１２の近傍とのクリアランスを確保して、大型の表示パネル１２のチルト量を確保できる。
【００４４】
また、図５〜図７及び図８（Ａ）〜図８（Ｄ）に示すように、移動体は、複数のギア（スライダーギア３５、アイドラギア３８、パワーギア４１）が噛み合うギア列機構２９であり、表示パネル１２が傾くのに伴い、表示パネル１２に対してスライダーギア３５、アイドラギア３８、パワーギア４１がそれぞれ相対回動する。
この構成によれば、複数のギア（スライダーギア３５、アイドラギア３８、パワーギア４１）によりスライダーギア３５、アイドラギア３８、パワーギア４１の小型化と増速構造によって表示パネル１２の移動量を確保しやすくするとともにチルト機構２０の小型、コンパクト化を図ることができる。
【００４５】
図５及び図８（Ａ）〜図８（Ｄ）に示すように、ギア列機構２９は、スライダー２４に連結されて表示パネル１２に対して相対回動するスライダーギア３５と、スライダーギア３５に噛み合うアイドラギア３８と、アイドラギア３８と噛み合うパワーギア４１と、スライダーギア３５、アイドラギア３８及びパワーギア４１を回動可能に支持するギア支持部材としてのギアプレート３６とを備える。
パワーギア４１は、表示パネル１２の背面１２ｂ側に固定された固定ラックギア４３に噛み合い、パワーギア４１を支持するパワーギア軸４２とガイド軸４５とは、軸支持部材としてのガイドプレート３３で支持される。
この構成によれば、ギア列機構２９を予め小組することができ、チルト機構２０の組立てを効率良く行うことができる。
【００４６】
図８（Ｂ）及び図８（Ｄ）に示すように、パワーギア４１は、アイドラギア３８に噛み合う小径ギア４１ａと、固定ラックギア４３に噛み合う扇形の大径ギア４１ｂとから一体に形成されている。
この構成によれば、小径ギア４１ａ及び大径ギア４１ｂによって、表示パネル１２とギア列機構２９との相対移動をより大きくできるとともに、扇形の大径ギア４１ｂによってギア列機構２９を小型にできる。
【００４７】
上述した実施形態は、あくまでも本発明の一態様を示すものであり、本発明の主旨を逸脱しない範囲で任意に変形及び応用が可能である。
本発明は、車載装置１０に適用する場合に限らず、車載装置１０以外に備えるパネルのチルト構造にも適用可能である。
【符号の説明】
【００４８】
１２  表示パネル（パネル）
２０  チルト機構
２４  スライダー
２６  ガイド部材（上下案内部）
２９  ギア列機構（移動体）
３２  ギアガイドプレート（パネル案内部）
３３  ガイドプレート（軸支持部材）
３５  スライダーギア
３６  ギアプレート（ギア支持部材）
３８  アイドラギア
４１  パワーギア
４１ａ  小径ギア
４１ｂ  大径ギア
４２  パワーギア軸（位置決め部）
４３  固定ラックギア（移動力発生部）
４５  ガイド軸（上下移動軸）
５５  ギアピン（位置決め部）
【図１】
2020106727.tif 000003
【図２】
2020106727.tif 000004
【図３】
2020106727.tif 000005
【図４】
2020106727.tif 000006
【図５】
2020106727.tif 000007
【図６】
2020106727.tif 000008
【図７】
2020106727.tif 000009
【図８】
2020106727.tif 000010
【図９】
2020106727.tif 000011
【図１０】
2020106727.tif 000012
【図１１】
2020106727.tif 000013
【図１２】
2020106727.tif 000014
【図１３】
2020106727.tif 000015